(57)【要約】 【課題】医用画像データに不整合が発生した際、ユーザによる当該医用画像データの確認、修正等の作業の利便性を向上し得る医用画像処理装置、医用画像処理方法及びプログラムを提供すること。【解決手段】検像装置４０は、第１参照テーブル４６２に基づいて、モダリティから受信した医用画像データの各フレーム同士の整合性を判断する。そして、不整合と判定した医用画像データのフレームを別検査となるように、当該医用画像データの付帯情報中の「検査インスタンスＵＩＤ」、「シリーズインスタンスＵＩＤ」を書き換える。そして、整合性有りと判断した医用画像データのフレームと不整合と判断した医用画像データのフレームとをＰＡＣＳに送信する。【選択図】図３
2008229252.tif 000002
【特許請求の範囲】
【請求項１】
同一検査において生成された、付帯情報を含む医用画像データを複数フレーム受信する受信手段と、
前記受信手段により受信された医用画像データの各フレーム同士の整合性を判定するための判定項目情報を設定し、前記判定項目情報に基づいて前記受信手段により受信された医用画像データの各フレーム同士の整合性を判定し、不整合と判定された医用画像データのフレームに対して当該医用画像データの付帯情報を別検査となるように変更する制御手段と、
前記制御手段による処理が行われた後、前記受信手段により受信された医用画像データを記憶媒体に送信する送信手段と、
を備える医用画像処理装置。
【請求項２】
各種情報を表示する表示手段を備え、
前記制御手段は、前記受信手段により受信された医用画像データの各フレーム同士の整合性を判定するための第２判定項目情報を前記判定項目情報とは別に設定し、前記第２判定項目情報に基づいて前記受信手段により受信された医用画像データの各フレーム同士の整合性を判定し、不整合と判定された医用画像データのフレームがある場合、前記表示手段にその旨の警告情報を表示させる、
請求項１に記載の医用画像処理装置。
【請求項３】
同一検査において生成された、付帯情報を含む医用画像データを複数フレーム受信する受信工程と、
前記受信工程において受信された医用画像データの各フレーム同士の整合性を判定するための判定項目情報を設定し、前記判定項目情報に基づいて前記受信工程において受信された医用画像データの各フレーム同士の整合性を判定し、不整合と判定された医用画像データのフレームに対して当該医用画像データの付帯情報を別検査となるように変更する制御工程と、
前記制御工程における処理が行われた後、前記受信工程において受信された医用画像データを記憶媒体に送信する送信工程と、
を有する医用画像処理方法。
【請求項４】
コンピュータを、
同一検査において生成された、付帯情報を含む医用画像データを複数フレーム受信する受信手段、
前記受信手段により受信された医用画像データの各フレーム同士の整合性を判定するための判定項目情報を設定し、前記判定項目情報に基づいて前記受信手段により受信された医用画像データの各フレーム同士の整合性を判定し、不整合と判定された医用画像データのフレームに対して当該医用画像データの付帯情報を別検査となるように変更する制御手段、
前記制御手段による処理が行われた後、前記受信手段により受信された医用画像データを記憶媒体に送信する送信手段、
として機能させるためのプログラム。
【発明の詳細な説明】
【技術分野】
【０００１】
本発明は、医用画像処理装置、医用画像処理方法及びプログラムに関する。
【背景技術】
【０００２】
医療の分野において、患者を撮影した医用画像はデジタル化して扱われている。具体的には、ＣＲ（Computed Radiography）装置やＣＴ（Computed Tomography）装置、ＭＲ（Magnetic Resonance）装置等の医用画像生成装置（以下、「モダリティ」と称す）を用いて、デジタル画像データ（以下、「医用画像データ」と称す）を生成する。そして生成された医用画像データは、ＰＡＣＳ（Picture Archiving and Communication System for medical application）と呼ばれるシステムで記憶管理されている。
【０００３】
医用画像データは、ＤＩＣＯＭ（Digital Imaging and Communication in Medicine）規格に準拠したデータ形式で、患者情報、検査情報、シリーズ情報及び画像情報を含む付帯情報と実画像データとから成る。ＤＩＣＯＭとは、医用画像の通信及び保存フォーマットに関する標準規格であり、この規格に準拠することで、異なる医療機器間での相互通信性が確保される。
【０００４】
また、近年、通信ネットワークを介してＰＡＣＳのような医用画像管理システム内のデータベースにモダリティで生成された医用画像データを記憶させる際、当該医用画像データの付帯情報の整合性チェック、登録済み医用画像データとの整合性のチェック等を自動で行い、整合性を有していると判断された医用画像データのみをＰＡＣＳに送信する検像システムが開発されている。
【特許文献１】特開２００５−１４９１８０号公報
【発明の開示】
【発明が解決しようとする課題】
【０００５】
しかし、特許文献１の技術では、整合性を有していないと判断された医用画像データは、ＰＡＣＳ外のデータベースに登録される。そのため、医用画像データの不整合項目の確認、修正等を行う際、当該医用画像データをＰＡＣＳ外のデータベースから読み出す必要があり、ユーザによる確認、修正作業等が煩雑であった。
【０００６】
本発明は、上述したような課題に鑑みて為されたものであり、その目的とするところは、医用画像データに不整合が発生した際、ユーザによる当該医用画像データの確認、修正等の作業の利便性を向上し得る医用画像処理装置、医用画像処理方法及びプログラムを提供することである。
【課題を解決するための手段】
【０００７】
上記の課題を解決するために、請求項１に記載の医用画像処理装置は、
同一検査において生成された、付帯情報を含む医用画像データを複数フレーム受信する受信手段と、
前記受信手段により受信された医用画像データの各フレーム同士の整合性を判定するための判定項目情報を設定し、前記判定項目情報に基づいて前記受信手段により受信された医用画像データの各フレーム同士の整合性を判定し、不整合と判定された医用画像データのフレームに対して当該医用画像データの付帯情報を別検査となるように変更する制御手段と、
前記制御手段による処理が行われた後、前記受信手段により受信された医用画像データを記憶媒体に送信する送信手段と、
を備える。
【０００８】
請求項２に記載の発明は、請求項１に記載の発明において、
各種情報を表示する表示手段を備え、
前記制御手段は、前記受信手段により受信された医用画像データの各フレーム同士の整合性を判定するための第２判定項目情報を前記判定項目情報とは別に設定し、前記第２判定項目情報に基づいて前記受信手段により受信された医用画像データの各フレーム同士の整合性を判定し、不整合と判定された医用画像データのフレームがある場合、前記表示手段にその旨の警告情報を表示させる。
【０００９】
請求項３に記載の医用画像処理方法は、
同一検査において生成された、付帯情報を含む医用画像データを複数フレーム受信する受信工程と、
前記受信工程において受信された医用画像データの各フレーム同士の整合性を判定するための判定項目情報を設定し、前記判定項目情報に基づいて前記受信工程において受信された医用画像データの各フレーム同士の整合性を判定し、不整合と判定された医用画像データのフレームに対して当該医用画像データの付帯情報を別検査となるように変更する制御工程と、
前記制御工程における処理が行われた後、前記受信工程において受信された医用画像データを記憶媒体に送信する送信工程と、
を有する。
【００１０】
請求項４に記載のプログラムは、
コンピュータを、
同一検査において生成された、付帯情報を含む医用画像データを複数フレーム受信する受信手段、
前記受信手段により受信された医用画像データの各フレーム同士の整合性を判定するための判定項目情報を設定し、前記判定項目情報に基づいて前記受信手段により受信された医用画像データの各フレーム同士の整合性を判定し、不整合と判定された医用画像データのフレームに対して当該医用画像データの付帯情報を別検査となるように変更する制御手段、
前記制御手段による処理が行われた後、前記受信手段により受信された医用画像データを記憶媒体に送信する送信手段、
として機能させる。
【発明の効果】
【００１１】
請求項１、３及び４に記載の発明によれば、判定項目情報に基づいて、受信した医用画像データの各フレーム同士の整合性を判定し、不整合と判定した医用画像データのフレームを別検査とする。そして、医用画像生成装置から受信した医用画像データを記憶媒体（ＰＡＣＳ内のデータベース等）に送信する。
【００１２】
このため、不整合と判定された医用画像データのフレームは別検査として、整合性有りと判定された医用画像データと共に同一記憶媒体に記憶され、当該不整合と判定された医用画像データのフレームの不整合項目の確認、修正を行う際、当該医用画像データのフレームを同一記憶媒体から読み出すことが可能となる。
【００１３】
よって、医用画像データに不整合が発生した際、ユーザによる当該医用画像データの確認、修正等の作業の利便性が向上する。
【００１４】
請求項２に記載の発明によれば、前記判定項目情報とは別の第２判定項目情報に基づいて、受信した医用画像データの各フレーム同士の整合性を判定し、不整合と判定された医用画像データのフレームがある場合、表示手段にその旨の警告情報を表示する。
【００１５】
このため、ユーザは、前記警告情報を参照して、前記不整合と判定された医用画像データのフレームを記憶媒体に記憶させるか否かの判断、記憶媒体に記憶させる前に医用画像データに含まれる付帯情報の修正や確認等をすることができる。
【発明を実施するための最良の形態】
【００１６】
以下、本発明に係る医用画像処理装置の好適な一実施形態について説明する。
【００１７】
[医用画像システムのシステム構成図]
先ず、図１を参照して検像装置（医用画像処理装置）４０を有する医用画像システム１０のシステム構成について説明する。医用画像システム１０は、モダリティ２０、ＲＩＳ３０、検像装置４０及びＰＡＣＳ５０から構成されている。
【００１８】
モダリティ２０、ＲＩＳ３０及び検像装置４０は、通信ネットワークＮを介して、データ通信可能に接続されている。また、検像装置４０はＰＡＣＳ５０とデータ通信可能に接続されている。そのため、モダリティ２０とＰＡＣＳ５０とのデータ通信は、検像装置４０を介して行われる。
【００１９】
ＲＩＳ３０は、放射線科内の情報を管理する放射線科情報システムである。ＲＩＳ３０は、医師等のオペレータによる検査オーダの登録を受け付ける。そして、その登録された検査オーダに基づいて、検査オーダ情報を生成する。ここで、検査オーダ情報とは、撮影や診断のオーダの内容を示すデータである。ＲＩＳ３０は、当該検査オーダ情報をモダリティ２０、検像装置４０に送信する。
【００２０】
モダリティ２０は、ＣＲ装置やＣＴ装置、ＭＲ装置、乳房撮影装置、超音波診断装置等であり、撮影技師の操作に従って撮影して得られた画像のデータ信号をＤＩＣＯＭ規格に則したデジタルデータに変換して医用画像データＤ１を生成する。モダリティ２０は、生成した医用画像データＤ１を検像装置４０に送信する。
【００２１】
例えば、ＣＲ装置は、被写体に放射線を照射して、その被写体を透過した放射線をプレート状の輝尽性蛍光体に吸収させる。そして、この輝尽性蛍光体を例えばレーザ光で走査しながら励起することにより、この輝尽性蛍光体が蓄積している放射線エネルギを発光させ、その発光を光電変換して得られた放射線画像のデータ信号をデジタル変換して被写体の画像データを生成する。
【００２２】
図２に、医用画像データＤ１の１フレームのデータ構造の一例を示す。図２によれば、１フレームの医用画像データＤ１は、付帯情報Ｄ２のデータブロックと、実画像データＤ３のデータブロックとを有して構成される。付帯情報Ｄ２のデータブロックは、患者情報Ｄ２１のデータブロックと、検査情報Ｄ２２のデータブロックと、シリーズ情報Ｄ２３のデータブロックと、画像情報Ｄ２４のデータブロックとを含む。
【００２３】
患者情報Ｄ２１、検査情報Ｄ２２及びシリーズ情報Ｄ２３は、ＲＩＳ３０によって作成された検査オーダ情報に基づいて設定される。
【００２４】
患者情報Ｄ２１は、撮影を行う患者の患者名や生年月日等の患者毎に設定されたデータである。具体的に、患者情報Ｄ２１は、「患者ＩＤ」、「氏名（漢字）」、「氏名（ローマ字）」、「氏名（カナ）」、「生年月日」、「性別」等の各種項目情報から成る。
【００２５】
検査情報Ｄ２２は、医師がオーダした検査毎に設定されたデータである。具体的に、検査情報Ｄ２２は、「検査インスタンスＵＩＤ」、「検査ＩＤ」、「受付番号」、「検査年月日」、「検査記述」、等の各種項目情報から成る。ここで、「検査記述」とは、検査に関する医師のコメントである。「検査インスタンスＵＩＤ」については後述する。
【００２６】
シリーズ情報Ｄ２３は、一つの検査の中で生成されるモダリティ２０毎の一連の医用画像データのグループの単位を示すシリーズ毎に設定されたデータである。具体的に、シリーズ情報Ｄ２３は、「シリーズインスタンスＵＩＤ」、「シリーズＩＤ」、「モダリティ」等の各種項目情報から成る。ここで、「モダリティ」とは、当該シリーズにおいて撮影に使用されたモダリティの種類を示す情報である。「シリーズインスタンスＵＩＤ」については後述する。
【００２７】
画像情報Ｄ２４は、当該画像情報Ｄ２４に対応付けられたシリーズ情報Ｄ２３のシリーズＩＤと、医用画像が生成された際に付された医用画像データＤ１の画像ＩＤと、画像が生成された画像生成時刻等の画像管理や画像生成に関する各種情報とを含んで構成される。
【００２８】
ここで、ＵＩＤ（Unique Identifier）とは、世界中で唯一性が保障された識別番号である。つまり、検査情報Ｄ２２に含まれる「検査インスタンスＵＩＤ」とは各検査を識別する情報であり、シリーズ情報Ｄ２３に含まれる「シリーズインスタンスＵＩＤ」とは各シリーズを識別する情報である。そのため、検像装置４０は、「検査インスタンスＵＩＤ」、「シリーズインスタンスＵＩＤ」を参照して、医用画像データＤ１が同一検査において生成されたか、同一シリーズにおいて生成されたかを判定する。
【００２９】
検像装置４０は、ＲＩＳ３０によって作成された検査オーダ情報と、モダリティ２０から送信される医用画像データＤ１とを受信して、後述する検像用データベース４６１にデータを蓄積していき、蓄積された医用画像データＤ１に対して、当該医用画像データＤ１の付帯情報の整合性のチェック処理等を行う。このチェック処理を「整合性チェック処理」と称す。
【００３０】
検像装置４０は、医用画像データＤ１に対して整合性チェック処理を行った後、その医用画像データＤ１をＰＡＣＳ５０に送信する。
【００３１】
ＰＡＣＳ５０は、検像装置４０から送信される医用画像データＤ１を保存管理し、医用画像データＤ１の検索やデータ解析等を行う医用画像管理システムである。
【００３２】
[検像装置の構成]
次に、検像装置４０の機能構成について説明する。図３は、検像装置４０の機能構成の一例を示すブロック図である。図３によれば、検像装置４０は、ＣＰＵ４１と、ＲＡＭ（Random Access Memory）４２と、入力部４３と、表示部４４と、通信部４５と、記憶部４６とを備えて構成される。
【００３３】
ＣＰＵ４１は、各機能部の動作の制御と、機能部間のデータ入出力の制御等を行う。具体的には、入力部４３から入力される操作信号に応じて記憶部４６に格納されたプログラムをＲＡＭ４２に読み出し、当該プログラムに従った処理を実行する。そして、その処理結果に基づいて、表示部４４の表示画面の更新や記憶部４６へのデータの記憶、外部機器とのデータ通信等を行う。つまり、ＣＰＵ４１は、記憶部４６に格納されたプログラムとＲＡＭ４２と協働して、検像装置４０を統括的に管理・制御する制御手段を実現する。
【００３４】
入力部４３は、カーソルキーやテンキー等の各種キー群や、マウスやタッチパネル等のポインティングデバイスを備えて構成される。入力部４３は、ユーザに押下されたキーに対応する操作信号や、ポインティングデバイスにより指定された画面上の座標位置に対応する操作信号をＣＰＵ４１に出力する。
【００３５】
表示部４４は、ＣＲＴ（Cathode-ray Tube）やＬＣＤ（Liquid Crystal Display）等により構成され、ＣＰＵ４１の制御に基づいた表示画面の表示や、医用画像データＤ１の再生表示等を行う。通信部４５は、ＬＡＮインターフェイス等により構成され、通信ネットワークＮを介してモダリティ２０やＲＩＳ３０、ＰＡＣＳ５０等の外部機器との間でデータ通信を行う機能部である。
【００３６】
ＲＡＭ４２は、書き換え可能な半導体素子等で構成され、ＣＰＵ４１が実行する各種プログラムやこれらのプログラムの実行に係るデータ等を一時的に保持する。
【００３７】
記憶部４６は、データの読み書きを行う不揮発性のメモリであり、フラッシュメモリやＨＤＤ（Hard Disk Drive）等により構成される。記憶部４６は、各種初期設定、ハード
ウェアの検査、又は必要なプログラムのロード等を行うための初期プログラムを格納する。
【００３８】
また、記憶部４６は、検像用データベース４６１と第１参照テーブル４６２と第２参照テーブル４６３と整合性チェックプログラム４６４とを記憶する。
【００３９】
検像用データベース４６１は、通信部４５を介してモダリティ２０から受信した医用画像データＤ１のフレームを受信時刻に対応付けて蓄積記憶するデータベースである。図４に検像用データベース４６１のデータ構成を示す。
【００４０】
第１参照テーブル４６２は、後述する「整合性チェック処理」において参照されるテーブル（判定項目情報）である。図５に第１参照テーブル４６２のデータ構成を示す。
【００４１】
第２参照テーブル４６３は、第１参照テーブル４６２と同様、「整合性チェック処理」において参照されるテーブル（第２判定項目情報）である。図６に第２参照テーブル４６３のデータ構成を示す。
【００４２】
整合性チェックプログラム４６４は、ＣＰＵ４１に「整合性チェック処理」を行わせるためのプログラムである。「整合性チェック処理」は、ＣＰＵ４１とＲＡＭ４２と当該整合性チェックプログラム４６４との協働によって行われる。
【００４３】
[整合性チェック処理の概要]
次に整合性チェック処理の概要について説明する。整合性チェック処理とは、検像装置４０が、モダリティ２０から受信した同一検査、同一シリーズの一連の医用画像データＤ１のフレーム同士の付帯情報の整合性をＰＡＣＳ５０に送信する前にチェックし、不整合と判定された医用画像データＤ１のフレームを別検査とし、モダリティ２０から受信したこれら一連の医用画像データＤ１をＰＡＣＳ５０に送信する処理である。
【００４４】
検像装置４０による医用画像データＤ１のフレーム同士が同一検査であるか否かの判定は、当該医用画像データＤ１の検査情報Ｄ２２に含まれる「検査インスタンスＵＩＤ」の値を参照する。検査インスタンスＵＩＤの値が同じであるならば同一検査であり、検査インスタンスＵＩＤの値が異なるならば非同一検査である。
【００４５】
同様に、検像装置４０による医用画像データＤ１のフレーム同士が同一シリーズであるか否かの判定は、当該医用画像データＤ１のシリーズ情報Ｄ２３に含まれる「シリーズインスタンスＵＩＤ」の値を参照する。シリーズインスタンスＵＩＤの値が同じであるならば同一シリーズであり、シリーズインスタンスＵＩＤの値が異なるならば非同一シリーズである。
【００４６】
ＣＴ装置等のモダリティ２０から医用画像データＤ１を受信し始めてから所定時間内に受信した一連の医用画像データＤ１群は、同一検査且つ同一シリーズにおいて生成された医用画像データＤ１である。そのため、当該一連の医用画像データＤ１群の「検査インスタンスＵＩＤ」は全て同じ値になるべきである。同様に当該一連の医用画像データＤ１群の「シリーズインスタンスＵＩＤ」は全て同じ値になるべきである。
【００４７】
仮に、「検査インスタンスＵＩＤ」が異なる値であった場合、当該一連の医用画像データＤ１群は整合性がとれていないことになる。同様に、「シリーズインスタンスＵＩＤ」が異なる値であった場合、当該一連の医用画像データ群は整合性がとれていないことになる。
【００４８】
検像装置４０は、同一検査、同一シリーズの医用画像データＤ１のフレーム同士の付帯情報Ｄ２の整合性のチェックを、記憶部４６に記憶されている第１参照テーブル４６２に基づいて行う。つまり、同一検査、同一シリーズ内の各医用画像データＤ１の付帯情報Ｄ２に含まれる患者情報Ｄ２１の「患者ＩＤ」、「氏名（漢字）」、「生年月日」、検査情報Ｄ２２の「受付番号」、「検査ＩＤ」が等しいか否かを調べる。
【００４９】
検像装置４０は、第１参照テーブル４６２にあるこれらの項目のうち、一つでも異なる項目がある場合、該当する医用画像データＤ１のフレームは、不整合の医用画像データＤ１のフレームであると判定する。そして、検像装置４０は、当該不整合の医用画像データＤ１のフレームをその他の医用画像データＤ１のフレームと異なる検査（別検査）となるように付帯情報Ｄ２を書き換える。その後、モダリティ２０から医用画像データＤ１を受信し始めてから所定時間内に受信した医用画像データＤ１のフレーム群を、ＰＡＣＳ５０に送信する。
【００５０】
整合性チェック処理の具体例を図７を参照して説明する。検査インスタンスＵＩＤが「ＡＡＡ０１」、シリーズインスタンスＵＩＤが「０１ＡＡＡ」である検査Ａとしての一連の医用画像データＤ１のフレーム群（Ｄ１ａ、Ｄ１ｂ、Ｄ１ｃ、Ｄ１ｄ、Ｄ１ｅ、Ｄ１ｆ）がある。このうち、医用画像データＤ１ａ、Ｄ１ｂ、Ｄ１ｃ、Ｄ１ｄの「氏名（漢字）」は、「山田太郎」であり、医用画像データＤ１ｅ、Ｄ１ｆの「氏名（漢字）」は、「山本次郎」である。そのため、第１参照テーブル４６２にある「氏名（漢字）」項目が異なっている。
【００５１】
よって、「氏名（漢字）」が「山本次郎」である医用画像データＤ１ｅ、Ｄ１ｆの「検査インスタンスＵＩＤ」を「ＢＢＢ０１」、「シリーズインスタンスＵＩＤ」を「０１ＢＢＢ」と変更し、検査Ｂとする。
【００５２】
そして、検像装置４０は、当該一連の医用画像データＤ１のフレーム群（Ｄ１ａ、Ｄ１ｂ、Ｄ１ｃ、Ｄ１ｄ、Ｄ１ｅ、Ｄ１ｆ）をＰＡＣＳ５０に送信する。
【００５３】
尚、本具体例において「検査インスタンスＵＩＤ」、「シリーズインスタンスＵＩＤ」の値は、説明の便宜上「０１ＡＡＡ」のようにしたが、実際の値とは異なる。
【００５４】
また、検像装置４０は、第１参照テーブル４６２に基づいた整合性チェックの後且つ医用画像データＤ１群のＰＡＣＳ５０への送信前に、記憶部４６に記憶されている第２参照テーブル４６３に基づいた整合性チェックも行う。つまり、同一検査、同一シリーズ内の各医用画像データＤ１のフレームの付帯情報Ｄ２に含まれる患者情報Ｄ２１の「氏名（ローマ字）」、「氏名（カナ）」、検査情報Ｄ２２の「検査年月日」、「検査記述」が等しいか否かを調べる。この整合性チェックを準重要整合性チェックと称す。
【００５５】
検像装置４０は、第２参照テーブル４６３にあるこれらの項目のうち、一つでも異なる項目がある場合、該当する医用画像データＤ１のフレームは、不整合であるが、当該不整合の重要度が低い医用画像データＤ１のフレーム（準不整合医用画像データＤ１のフレーム）であると判定する。そして、準不整合医用画像データＤ１のフレームがある場合、表示部４４に警告を出しユーザにその旨を通知する。
【００５６】
尚、表示部４４に警告を出したあと、医用画像データＤ１のＰＡＣＳ５０への登録を許可するユーザ操作や、付帯情報Ｄ２の修正や確認のユーザ操作を待機してもよい。
【００５７】
尚、チェック対象となっている医用画像データＤ１のフレームの「氏名（漢字）」の値と第１参照テーブル４６２にある「氏名（漢字）」の値との間で、空白が不一致の場合、当該医用画像データＤ１のフレームを不整合とせずに準不整合（準不整合医用画像データＤ１のフレーム）としてもよい。具体的には「山田太郎」であるべき箇所が「山田  太郎」となっている場合等である。
【００５８】
[整合性チェック処理等の具体的な動作]
次に、検像装置４０が行う整合性チェック処理等の具体的な動作について説明する。
【００５９】
検像装置４０は、モダリティ２０から医用画像データＤ１を受信すると、当該医用画像データＤ１を受信時刻と共に、検像用データベース４６１に登録する。そして、モダリティ２０から医用画像データＤ１を受信し始めてから所定時間経過後、検像用データベース４６１に登録されている一連の医用画像データＤ１のフレームを読み出す。尚、ここでいう所定時間とは一般的に数秒〜十数秒であり、ユーザによって適宜設定可能である。
【００６０】
検像装置４０は、当該読み出した医用画像データＤ１のフレームのうち、受信時刻の早い医用画像データＤ１のフレームの順番に、図８のフローチャート図に示す整合性チェック処理を行う。尚、図８のフローチャート図に示す整合性チェック処理は医用画像データＤ１のフレーム毎に実行される。
【００６１】
まず、検像装置４０は、当該読み出した医用画像データＤ１のフレームのうち、受信時刻が一番早い医用画像データＤ１のフレームのシリーズインスタンスＵＩＤの整合性チェックを行う。以下、説明の便宜上、整合性チェック処理の対象となっている医用画像データＤ１のフレームをチェック対象医用画像データフレームと称す。以下、受信時刻が一番早い医用画像データＤ１のフレームがチェック対象医用画像データフレームである場合を説明する。
【００６２】
検像装置４０は、検像用データベース４６１から読み出した一連の医用画像データＤ１のフレームのうち、「シリーズインスタンスＵＩＤ」がチェック対象医用画像データフレームの値と同じである医用画像データＤ１のフレームが存在するか判定する（ステップＳ１）。
【００６３】
判定の結果、条件を満たす医用画像データＤ１のフレームが存在しない場合（ステップＳ１；Ｎｏ）、検像装置４０は、検像用データベース４６１から読み出した一連の医用画像データＤ１のフレームのうち、「検査インスタンスＵＩＤ」がチェック対象医用画像データフレームの値と同じである医用画像データＤ１のフレームが存在するか判定する（ステップＳ８）。
【００６４】
判定の結果、条件を満たす医用画像データＤ１のフレームが存在する場合（ステップＳ８；Ｙｅｓ）、異なる検査として分離された医用画像データＤ１のフレームが既に存在するか否かを判定する（ステップＳ９）。ステップＳ９については後述する。
【００６５】
「検査インスタンスＵＩＤ」がチェック対象医用画像データフレームの値と同じである医用画像データＤ１のフレームが存在しない場合（ステップＳ８；Ｎｏ）、検像装置４０は、検像用データベース４６１に登録されている、チェック対象医用画像データフレームに対応する医用画像データＤ１のフレームの情報を更新せず、当該医用画像データＤ１のフレームに対する整合性チェック処理を完了する。
【００６６】
ステップＳ１における判定の結果、「シリーズインスタンスＵＩＤ」がチェック対象医用画像データフレームの値と同じである医用画像データＤ１のフレームが存在する場合（ステップＳ１；Ｙｅｓ）、当該医用画像データＤ１のフレーム（以下、被チェック対象医用画像データフレームと称す）の「検査インスタンスＵＩＤ」がチェック対象医用画像データフレームの値と同じであるか否かを判定する（ステップＳ２）。
【００６７】
尚、ステップＳ１の判定において、「シリーズインスタンスＵＩＤ」がチェック対象医用画像データフレームの値と同じである医用画像データＤ１のフレームが複数存在する場合は、そのうち、受信時刻が一番早い医用画像データＤ１のフレームを被チェック対象医用画像データフレームとする。
【００６８】
ステップＳ２の判定において、被チェック対象医用画像データフレームの「検査インスタンスＵＩＤ」がチェック対象医用画像データフレームの値と異なると判定した場合（ステップＳ２；Ｎｏ）、異なる検査として分離された医用画像データＤ１のフレームが既に存在するか否かを判定する（ステップＳ９）。ステップＳ９については後述する。
【００６９】
ステップＳ２の判定において、被チェック対象医用画像データフレームの「検査インスタンスＵＩＤ」がチェック対象医用画像データフレームの値と同じであると判定した場合（ステップＳ２；Ｙｅｓ）、チェック対象医用画像データフレームと被チェック対象医用画像データフレームとの間で付帯情報Ｄ２の整合性のチェックを行う（ステップＳ３）。
【００７０】
検像装置４０は、ステップＳ３の整合性のチェックを第１参照テーブル４６２に基づいて行う。具体的には、チェック対象医用画像データフレームと被チェック対象医用画像データフレームとの間で「患者ＩＤ」、「氏名（漢字）」、「生年月日」、検査情報Ｄ２２の「受付番号」、「検査ＩＤ」の各項目が等しいか否かを調べる。
【００７１】
そして、これらの項目のうち一つでも異なる項目がある場合、検像装置４０は、チェック対象医用画像データフレームを被チェック対象医用画像データフレームと異なる検査とするか否かの分離条件は成立すると判定する（ステップＳ４；Ｙｅｓ）。また、これらの項目全てが等しい場合、検像装置４０は、分離条件は成立しないと判定する（ステップＳ４；Ｎｏ）。
【００７２】
分離条件が成立すると判定した場合（ステップＳ４；Ｙｅｓ）、異なる検査として分離された医用画像データＤ１のフレームが既に存在するか否かを判定する（ステップＳ９）。
【００７３】
異なる検査として分離された医用画像データＤ１のフレームが存在しないと判定した場合（ステップＳ９；Ｎｏ）、検像装置４０は、チェック対象医用画像データフレームを別検査とするために、医用画像データＤ１の「検査インスタンスＵＩＤ」と「シリーズインスタンスＵＩＤ」を新たに発番する（ステップＳ１０）。
【００７４】
例えば、図７に示すように、検査インスタンスＵＩＤ「ＢＢＢ０１」を新たに発番し、チェック対象医用画像データフレームの「検査インスタンスＵＩＤ」を「ＡＡＡ０１」から「ＢＢＢ０１」に変更する。同様に、シリーズインスタンスＵＩＤ「０１ＢＢＢ」を新たに発番し、チェック対象医用画像データフレームの「シリーズインスタンスＵＩＤ」を「０１ＡＡＡ」から「０１ＢＢＢ」に変更する。
【００７５】
そして、この変更を、検像用データベース４６１に登録されている、当該チェック対象医用画像データフレームに対応する医用画像データＤ１のフレームに反映させる。この反映により、新たな検査として検像用データベース４６１に、不整合である医用画像データＤ１のフレームが再登録されたことになる。そして、当該医用画像データＤ１のフレームに対する整合性チェック処理を完了する（ステップＳ１１）。
【００７６】
ステップＳ９の判定において、異なる検査として分離された医用画像データＤ１のフレームが既に存在すると判定した場合（ステップＳ９；Ｙｅｓ）、チェック対象医用画像データフレームの「検査インスタンスＵＩＤ」と「シリーズインスタンスＵＩＤ」を、異なる検査として分離された医用画像データＤ１のフレームの値に変更する。そして、この変更を、検像用データベース４６１に登録されている、当該チェック対象医用画像データフレームに対応する医用画像データＤ１のフレームに反映させる。この反映により、分離された検査として検像用データベース４６１に、不整合である医用画像データＤ１のフレームが再登録されたことになる。そして、当該医用画像データＤ１のフレームに対する整合性チェック処理を完了する（ステップＳ１２）。
【００７７】
ステップＳ３の整合性のチェックにおいて、検像装置４０が、分離条件は成立しないと判定した場合（ステップＳ４；Ｎｏ）、チェック対象医用画像データフレームと被チェック対象医用画像データフレームとの間で付帯情報Ｄ２の準重要整合性のチェックを行う（ステップＳ５）。
【００７８】
検像装置４０は、ステップＳ４の当該準重要整合性のチェックを第２参照テーブル４６３に基づいて行う。具体的には、チェック対象医用画像データフレームと被チェック対象医用画像データフレームとの間で「氏名（ローマ字）」、「氏名（カナ）」、「検査年月日」、「検査記述」の各項目が等しいか否かを調べる。
【００７９】
そして、これらの項目のうち一つでも異なる項目がある場合、検像装置４０は、重要度の低い不整合である準不整合が成立すると判定する（ステップＳ５；Ｙｅｓ）。また、これらの項目全てが等しい場合、検像装置４０は、準不整合が成立しないと判定する（ステップＳ５；Ｎｏ）。
【００８０】
準不整合が成立すると判定した場合（ステップＳ５；Ｙｅｓ）、検像装置４０は、表示部４４にその旨の警告情報を表示し（ステップＳ６）、入力部４３からのユーザ操作による付帯情報Ｄ２の変更や確認操作を待機する。
【００８１】
そして、これらのユーザ操作に基づく操作信号に基づき、検像用データベース４６１に登録されている、チェック対象医用画像データフレームに対応する医用画像データＤ１の付帯情報Ｄ２の値を変更する。ただし、付帯情報Ｄ２中の「検査インスタンスＵＩＤ」と「シリーズインスタンスＵＩＤ」は変更しない（ステップＳ７）。そして当該医用画像データＤ１のフレームに対する整合性チェック処理を完了する。
【００８２】
また、準不整合が成立しないと判定した場合（ステップＳ５；Ｎｏ）、検像装置４０は、検像用データベース４６１に登録されている、チェック対象医用画像データフレームに対応する医用画像データＤ１のフレームに対し、何の変更も行わない。つまり、検像用データベース４６１の更新を行わない。そして、当該医用画像データＤ１のフレームに対する整合性チェック処理を完了する。
【００８３】
検像装置４０は、医用画像データＤ１のフレームに対する整合性チェック処理が完了すると（ステップＳ５；Ｎｏ、ステップＳ７、ステップＳ８；Ｎｏ、ステップＳ１１、ステップＳ１２）、検像用データベース４６１に登録されている次の医用画像データＤ１のフレームに対する整合性チェック処理を開始する。具体的には、受信時刻が二番目に早い医用画像データＤ１のフレームに対して、当該整合性チェック処理を行う。
【００８４】
そして、検像用データベース４６１に登録されている、一連の医用画像データＤ１のフレームに対する整合性チェック処理を全て完了したら、検像装置４０は、これらの医用画像データＤ１をＰＡＣＳ５０に送信する。
【００８５】
以上、本実施形態によれば、検像装置４０は、第１参照テーブル４６２に基づいて、モダリティ２０から受信した医用画像データＤ１の各フレーム同士の整合性を判断する。そして、不整合と判定した医用画像データＤ１のフレームを別検査となるように、当該医用画像データＤ１の付帯情報Ｄ２中の「検査インスタンスＵＩＤ」、「シリーズインスタンスＵＩＤ」を書き換える。そして、整合性有りと判断した医用画像データＤ１のフレームと不整合と判断した医用画像データＤ１のフレームとをＰＡＣＳ５０に送信する。
【００８６】
このため、不整合と判断された医用画像データＤ１のフレームも別検査として同じＰＡＣＳ５０に登録され、当該医用画像データＤ１のフレームの不整合項目の確認、修正等を行う際、当該医用画像データＤ１を同じＰＡＣＳ５０から読み出すことが可能である。
【００８７】
また、不整合と判定された医用画像データＤ１のフレームを別検査としてＰＡＣＳ５０に登録しているため、整合性のある医用画像データＤ１のフレームと不整合な医用画像データＤ１のフレームとを区別してＰＡＣＳ５０内で管理することが可能である。
【００８８】
よって、ＰＡＣＳ５０等の医用画像管理システムに登録される医用画像データＤ１に不整合が発生した際、ユーザによる当該医用画像データＤ１の確認、修正等の作業の利便性が向上する。
【００８９】
更に、検像装置４０は、第２参照テーブル４６３に基づいて、モダリティ２０から受信した医用画像データＤ１の各フレーム同士の整合性を判断する。そして、不整合な医用画像データＤ１のフレームがある場合、表示部４４にその旨の警告情報を表示する。
【００９０】
このため、ユーザは、前記警告情報を参照して、前記不整合な医用画像データＤ１のフレームをＰＡＣＳ５０に登録するか否かの判断、ＰＡＣＳ５０への登録前に医用画像データＤ１に含まれる付帯情報Ｄ２の修正や確認等をすることができる。
【００９１】
尚、本実施の形態の整合性チェック処理において、検像装置４０は、被チェック対象医用画像データフレームとの比較によって、チェック対象医用画像データフレームの整合性の判定を行ったが、本発明はこれに限定されるものではない。
【００９２】
例えば、整合性チェック処理で参照される第１参照テーブル４６２、第２参照テーブル４６３の各判定項目において、検像用データベース４６１から読み出した一連の医用画像データＤ１のフレームのうち、一番多くのフレームが持っている判定項目の値を、被チェック対象医用画像データフレームの各判定項目として用いてもよい。
【００９３】
具体例には図７に示すように、判定項目「氏名（漢字）」において、「山田太郎」の値を持っているフレームが４つ、「山本次郎」の値を持っているフレームが２つある。そのため、被チェック対象医用画像データフレームの判定項目「氏名（漢字）」の値を「山田太郎」とする。
【００９４】
尚、本実施の形態において、「検査インスタンスＵＩＤ」と「シリーズインスタンスＵＩＤ」が共に等しい場合、「同一検査、同一シリーズ」と称したが、「同一検査、同一シリーズ」を総じて同一検査とも称す。
【図面の簡単な説明】
【００９５】
【図１】本発明におけるシステム構成図である。
【図２】医用画像データのデータ構成図である。
【図３】検像装置のブロック図である。
【図４】検像用データベースのデータ構成図である。
【図５】第１参照テーブルのデータ構成図である。
【図６】第２参照テーブルのデータ構成図である。
【図７】別検査への分離のデータイメージ図である。
【図８】整合性チェック処理のフローチャート図である。
【符号の説明】
【００９６】
１０      医用画像システム
２０      モダリティ
３０      ＲＩＳ
４０      検像装置
５０      ＰＡＣＳ
４１      ＣＰＵ
４２      ＲＡＭ
４３      入力部
４４      表示部
４５      通信部
４６      記憶部
４６１    検像用データベース
４６２    第１参照テーブル
４６３    第２参照テーブル
４６４    整合性チェックプログラム
Ｄ１      医用画像データ
Ｄ２      付帯情報
Ｄ３      実画像データ
Ｄ２１    患者情報
Ｄ２２    検査情報
Ｄ２３    シリーズ情報
Ｄ２４    画像情報
Ｎ        通信ネットワーク
【図１】
2008229252.tif 000003
【図２】
2008229252.tif 000004
【図３】
2008229252.tif 000005
【図４】
2008229252.tif 000006
【図５】
2008229252.tif 000007
【図６】
2008229252.tif 000008
【図７】
2008229252.tif 000009
【図８】
2008229252.tif 000010